(57)【特許請求の範囲】
【請求項１】
レンズと、上記レンズを保持するレンズ保持枠と、上記レンズ保持枠を、光学系の光軸と直交する一方向の少なくとも一側面において回転自在に支持する回転支持部と、上記光軸及び上記一方向と直交する他方向の少なくとも一側面において上記光軸方向に傾倒自在に支持する傾倒支持部とを備える固定環と、上記固定環に嵌合することにより上記固定環の外周に沿って回転自在に支持され、上記固定環の他方向の両側面に形成された傾倒支持部に支持された上記レンズ保持枠の一対のガイド部をガイドする一対のガイド溝が周面に沿って形成され、上記固定環に支持された上記レンズ保持枠を、上記回転支持部を支点に回転させるとともに、上記傾倒支持部に沿って傾倒させる回転環とを有するあおり機構と、
上記あおり機構を、上記光軸を回転中心として回転可能に支持する固定筒と、
上記あおり機構の固定環と連結され、上記固定環を上記光軸を回転中心として回転させる第１の操作部材と、
上記あおり機構の回転環と係合され、上記レンズを上記傾倒支持部に沿って傾倒させる第２の操作部材とを備えたレンズ鏡筒。
【請求項２】
上記第１の操作部材は、内面にギア部が形成され、
上記固定環は、外面にギア部が形成され、
上記第１の操作部材と上記固定環との間には、上記第１の操作部材及び上記固定環に設けられた上記各ギア部を連結するギア機構が設けられていることを特徴とする請求項１記載のレンズ鏡筒。
【請求項３】
上記ギア機構は、上記第１の操作部材の回転方向と、上記固定環の回転方向とが同一方向となるように配列されていることを特徴とする請求項２記載のレンズ鏡筒。
【請求項４】
上記ギア機構は、上記第１の操作部材の回転操作量と、上記固定環の回転量とが略同一となるように形成されていることを特徴とする請求項２又は請求項３に記載のレンズ鏡筒。
【請求項５】
上記第１の操作部材と上記固定環とは、連結部材によって連結されていることを特徴とする請求項１記載のレンズ鏡筒。
【請求項６】
上記第２の操作部材と上記回転環とを、上記第１の操作部材によって上記あおり機構が回転されるときには離間させ、上記第２の操作部材が回転されるときには接続させるクラッチ機構を備えることを特徴とする請求項１〜５のいずれか１項に記載のレンズ鏡筒。
【請求項７】
上記ガイド溝には、上記レンズの光軸と上記光学系の光軸とが一致されたときに上記レンズ保持枠のガイド部がガイドされる、上記光軸に対して直交する水平部が形成されていることを特徴とする請求項１〜６のいずれか１項に記載のレンズ鏡筒。
【請求項８】
上記固定環と上記回転環との間には、上記レンズの光軸と上記光学系の光軸とが一致されたときに係合されるクリック部材が設けられていることを特徴とする請求項１〜７のいずれか１項に記載のレンズ鏡筒。
【請求項９】
上記固定環と該固定環を上記固定筒とともに支持する支持部材との間には、上記あおり機構が所定の基準位置に設定されたときに係合されるクリック部材が設けられていることを特徴とする請求項１〜８のいずれか１項に記載のレンズ鏡筒。
【請求項１０】
装置本体と、レンズ鏡筒とを有する撮像装置において、
上記レンズ鏡筒は、
レンズと、上記レンズを保持するレンズ保持枠と、上記レンズ保持枠を、光学系の光軸と直交する一方向の少なくとも一側面において回転自在に支持する回転支持部と、上記光軸及び上記一方向と直交する他方向の少なくとも一側面において上記光軸方向に傾倒自在に支持する傾倒支持部とを備える固定環と、上記固定環に嵌合することにより上記固定環の外周に沿って回転自在に支持され、上記固定環の他方向の両側面に形成された傾倒支持部に支持された上記レンズ保持枠の一対のガイド部をガイドする一対のガイド溝が周面に沿って形成され、上記固定環に支持された上記レンズ保持枠を、上記回転支持部を支点に回転させるとともに、上記傾倒支持部に沿って傾倒させる回転環とを有するあおり機構と、
上記あおり機構を、上記光軸を回転中心として回転可能に支持する固定筒と、
上記あおり機構の固定環と連結され、上記固定環を上記光軸を回転中心として回転させる第１の操作部材と、
上記あおり機構の回転環と係合され、上記レンズを上記傾倒支持部に沿って傾倒させる第２の操作部材とを備えた撮像装置。
【発明の詳細な説明】
【技術分野】
【０００１】
本発明は、いわゆるあおり撮影を行うことができる光学系を構成するあおり機構、レンズ鏡筒、及び撮像装置に関する。
【背景技術】
【０００２】
従来より、撮影光学系の光軸とフィルムや撮像素子の中心をずらすことで、あおり撮影を行うことができるレンズ鏡筒が提供されている。この種のレンズ鏡筒には、ベローズアタッチメントを用いて、レンズマウントに装着される支持板と、ボディマウント側に設けられた支持板とを接続するベローズと、両支持板をスライド自在に支持する支持機構を備え、レンズ鏡筒をスライドさせている。また、ベローズアタッチメントを用いるレンズ鏡筒よりも構成が簡素化され、取り扱いや持ち運びが容易なカム機構を用いたあおりレンズ鏡筒も提案されている（特許文献１参照）。
【０００３】
特許文献１に記載のレンズ鏡筒では、レンズを保持するレンズ保持枠と、レンズ保持枠より突設された複数のガイドピンが挿通される光軸方向に延設された直進溝が形成された基準筒と、基準筒に外側から外周方向に沿って回転自在に嵌合するとともに直進溝を挿通した各ガイドピンが係合するカム溝が形成されたカム筒とを備える。カム筒に形成されたカム溝は、カム筒の周方向に沿って、光軸を中心とする円周方向に亘って形成された直線溝部と、直線溝部に対して光軸方向に傾斜する傾斜溝部とを有する。
【０００４】
そして、かかるレンズ鏡筒は、カム筒が回転されることにより、ガイドピンがカム溝形状に応じて移動され、基準筒に設けられた直進溝に沿って傾倒する。これにより、レンズ保持枠に保持されたレンズが、直進溝の形成方向に対して傾倒し、チルトあるいはスイング操作がなされる。
【特許文献１】特開２０００−６６２６３号公報
【発明の開示】
【発明が解決しようとする課題】
【０００５】
しかし、従来のレンズ鏡筒においては、レンズを保持するレンズ保持枠が、基準筒の外周に光軸方向に亘って穿設された長孔状の直進溝、及びカム筒の周方向に亘って形成されたカム溝に挿通されることにより支持されているのみであるため、レンズ保持枠に保持されたレンズの光軸を、光学系の光軸とを一致させて保持することができず、芯出しを確実に行うことができない。
【０００６】
また、従来のレンズ鏡筒では、レンズの傾倒方向が基準筒に設けられた複数の直進溝の形成位置に規定される。すなわち、例えば直進溝を基準筒の光軸と直交する一方向の両側面と、光軸及び当該一方向と直交する他方向の両側面の４カ所に形成した場合、レンズの傾倒方向は上下左右の４方向のみとなり、これ以外の方向へは傾倒させることができない。したがって、あらゆる撮影態様に応じてレンズの傾倒方向を調整することはできない。
【０００７】
そこで、本発明は、レンズの芯出しを確実に行うことができると共に、あらゆる撮影態様に応じてレンズの傾倒方向を適宜調整することができるレンズ鏡筒及び撮像装置を提供することを目的とする。
【課題を解決するための手段】
【０００９】
上述した課題を解決するために、本発明に係るレンズ鏡筒はレンズと、上記レンズを保持するレンズ保持枠と、上記レンズ保持枠を、光学系の光軸と直交する一方向の少なくとも一側面において回転自在に支持する回転支持部と、上記光軸及び上記一方向と直交する他方向の少なくとも一側面において上記光軸方向に傾倒自在に支持する傾倒支持部とを備える固定環と、上記固定環に嵌合することにより上記固定環の外周に沿って回転自在に支持され、上記固定環の他方向の両側面に形成された傾倒支持部に支持された上記レンズ保持枠の一対のガイド部をガイドする一対のガイド溝が周面に沿って形成され、上記固定環に支持された上記レンズ保持枠を、上記回転支持部を支点に回転させるとともに、上記傾倒支持部に沿って傾倒させる回転環とを有するあおり機構と、上記あおり機構を、上記光軸を回転中心として回転可能に支持する固定筒と、上記あおり機構の固定環と連結され、上記固定環を上記光軸を回転中心として回転させる第１の操作部材と、上記あおり機構の回転環と係合され、上記レンズを上記傾倒支持部に沿って傾倒させる第２の操作部材とを備える。
【００１０】
また、本発明に係る撮像装置は、装置本体と、レンズ鏡筒とを有する撮像装置において、上記レンズ鏡筒は、レンズと、上記レンズを保持するレンズ保持枠と、上記レンズ保持枠を、光学系の光軸と直交する一方向の少なくとも一側面において回転自在に支持する回転支持部と、上記光軸及び上記一方向と直交する他方向の少なくとも一側面において上記光軸方向に傾倒自在に支持する傾倒支持部とを備える固定環と、上記固定環に嵌合することにより上記固定環の外周に沿って回転自在に支持され、上記固定環の他方向の両側面に形成された傾倒支持部に支持された上記レンズ保持枠の一対のガイド部をガイドする一対のガイド溝が周面に沿って形成され、上記固定環に支持された上記レンズ保持枠を、上記回転支持部を支点に回転させるとともに、上記傾倒支持部に沿って傾倒させる回転環とを有するあおり機構と、上記あおり機構を、上記光軸を回転中心として回転可能に支持する固定筒と、上記あおり機構の固定環と連結され、上記固定環を上記光軸を回転中心として回転させる第１の操作部材と、上記あおり機構の回転環と係合され、上記レンズを上記傾倒支持部に沿って傾倒させる第２の操作部材とを備える。
【発明の効果】
【００１１】
本発明によれば、レンズを保持するレンズ保持枠が、固定部材に、レンズの光軸と直交する一方向において回転自在に支持され、かつ、レンズの光軸及びレンズ保持枠を回転支持する一方向と直交する他方向において光軸方向に亘って傾倒自在に支持されていることから、固定部材に対するレンズの位置が精度よく決まり、芯出しを確実に行うことができる。
【００１２】
また、本発明によれば、操作部材が操作されることによりレンズが固定部材に対して傾倒されることであおり量の調整が可能とされ、またこの固定部材が光軸を回転中心に回転操作されることであおり方向の調整が可能となり、あらゆる方向に対してレンズをあおることができる。
【発明を実施するための最良の形態】
【００１３】
以下、本発明が適用されたレンズ鏡筒及び撮像装置について、図面を参照しながら詳細に説明する。
【００１４】
図１（ａ）及び（ｂ）に本発明が適用されたカメラ１を示す。カメラ１は、デジタルスチルカメラあるいは銀塩カメラであり、カメラボディ２と、カメラボディ２に対して着脱自在とされた撮影レンズ３とからなる。
【００１５】
カメラボディ２は、ユーザが片手で把持しやすい外形を有する略矩形状をなし、前面２ａには後述する撮影レンズ３のレンズ鏡筒が着脱自在に取り付けられるレンズマウント５が形成されるとともに、グリップ部６が張り出し形成されている。カメラボディ２は、グリップ部６が前面２ａ側に張り出し形成されることにより、ユーザにより安定して把持される。またカメラボディ２は、グリップ部６にシャッタボタン７が形成され、ユーザがカメラボディ２を把持した状態で直ちにシャッタ操作が可能とされている。これによりカメラボディ２は、ユーザによって確実に把持された状態でシャッタ操作がなされることにより、手ぶれなどを効果的に防止できる。
【００１６】
また、カメラボディ２は、上面２ｂにポップアップ式のフラッシュ８、操作モードを選択するダイヤル９等が形成されている。また、カメラボディ２は、背面２ｃに、撮影レンズ３を介して引き込んだ画像や撮影画像を表示する液晶モニタ１０、ビューファインダ１１、各種操作ボタン群が形成されている。
【００１７】
また、カメラボディ２は、前面２ａに装着される撮影レンズに構成される光学系の光軸に対して直交して、ＣＣＤやＣＭＯＳ等の撮像素子面、あるいはフィルム面が設けられている。
【００１８】
このようなカメラボディ２は、図２に示すように、前面２ａに形成されたレンズマウント５にレンズ鏡筒が交換可能に取り付けられ、撮影態様に応じて各種レンズ鏡筒を交換できる。そしてカメラ１は、カメラボディ２のレンズマウント５へ、あおり機構を組み込んだＰＣ（Perspective Control）レンズ２０を装着することにより、カメラボディ２内の撮像素子の面中心に対してＰＣレンズ２０のＰＣ光学系２５の光軸を傾斜させて、いわゆるあおり撮影を行うことができる。
【００１９】
次いで、あおり撮影を行うＰＣレンズ２０について説明する。ＰＣレンズ２０は、図３に示すように、円筒形状のレンズ鏡筒２１内に、対物面となる前面側から順に、フォーカスレンズ群２２と、固定レンズ群２３と、あおりレンズ群２４とを有し、これらレンズ群からなるＰＣ光学系２５が形成されている。レンズ鏡筒２１は、円筒形状を有し、背面にはカメラボディ２のレンズマウント５に装着されるマウントリング６１が設けられている（図４参照）。
【００２０】
レンズ鏡筒２１の前面側に設けられたフォーカスレンズ群２１は、複数のレンズの組み合わせからなる複数のレンズ群及び絞り２６を有し、複数のレンズ群の一部又は全部が光軸方向に移動されることによりフォーカシングを行う。レンズ鏡筒２１内には、自動又は手動でレンズ群を移動させることによりフォーカシングを可能にする移動機構、及び絞り値を最適に設定する機構が組み込まれている。
【００２１】
固定レンズ群２３は、複数のレンズが組み合わされたレンズ群からなり、フォーカレンズ群２１の背面側に固定配置されている。固定レンズ群２３の背面側にはあおりレンズ群２４が配置されている。
【００２２】
図４に示すように、あおりレンズ群２４は、ＰＣ光学系２５の光軸に対して傾倒可能に保持されたあおりレンズ３０を有し、このあおりレンズ３０を光軸方向へ傾倒操作するあおり機構３１と、あおり機構３１を回転操作することにより、あおりレンズ３０のあおり方向を操作する回転操作機構３２とを有する。
【００２３】
あおり機構３１は、図５に示すように、あおりレンズ３０と、あおりレンズ３０を保持するレンズ保持枠３３と、レンズ保持枠を支持する固定環３４と、固定環３４に嵌合されレンズ保持枠３３を傾倒させる回転環３５とを備える。あおりレンズ３０は、一又は複数のレンズからなり、レンズ保持枠３３に保持されている。
【００２４】
レンズ保持枠３３は、両端が開放された中空円筒形状をなし、中空内部にあおりレンズ３０を保持するとともに、開放端よりレンズ表面を臨ませている。またレンズ保持枠３３は、外周部に固定環３４に回動支持される支持ピン３６が挿通される一対の回動軸受４０，４０が形成されている。回動軸受４０，４０は、レンズ保持枠３３の外周部に相対向して設けられ、内周にネジ溝が形成された軸孔が設けられている。そして回動軸受４０，４０は、外周にネジ溝が形成された支持ピン３６が挿通されることにより、各支持ピン３６，３６の軸線を一致させるとともに、この軸線があおりレンズ３０の光軸と直交するように、各支持ピン３６，３６が取り付けられる。
【００２５】
また、レンズ保持枠３３は、外周部に、固定環３４の傾倒支持溝４４及び後述する回転環３５の傾倒ガイド溝５０に挿通されるガイド部材３７が取り付けられる一対のガイド軸受４１，４１が形成されている。ガイド軸受４１，４１は、レンズ保持枠３３の外周部に相対向して設けられるとともに、回動軸受４０，４０と等間隔に形成されている。またガイド軸受４１，４１は、大径部と、大径部の中央に形成され内周にネジ溝が形成された小径部とからなる軸孔が設けられている。ガイド軸受４１，４１の軸孔に取り付けられるガイド部材３７は、外周にネジ溝が形成されたガイドピン３７ａと、ガイドピン３７ａが挿通されたガイド環３７ｂとを備える。ガイド環３７ｂは、傾倒支持溝４４及び傾倒ガイド溝５０とのスムーズな摺動を確保するものであり、摩擦係数の低いプラスチック等の樹脂部材を用いた中空円筒形状の部材からなり、ガイドピン３７ａが挿通される。ガイド環３７ｂは、中空内部にガイドピン３７ａの頭部が係止される段部が形成され、またガイド軸受４１の軸孔への挿入端に軸孔内の大径部と小径部と間に形成された段部に係合する突部が形成されている。かかるガイド軸受４１，４１は、ガイド環３７ｂを挿通したガイドピン３７ａが軸孔の小径部に螺合するとともにガイド環３７ｂの突部が軸孔内の段部に係合する。このとき、各ガイドピン３７ａ，３７ａは、互いの軸線を一致させるとともに、この軸線があおりレンズ３０の光軸及び支持ピン３６，３６の軸線と直交する。
【００２６】
固定環３４は、長さ方向の両端が開放された中空円筒形状をなし、中空内部にレンズ保持枠３３を回転自在に支持する。この固定環３４は、後述する回転操作機構３２の固定筒５５に支持されており、これにより、あおりレンズ３０がフォーカスレンズ群２２や固定レンズ群２３とともにＰＣレンズ２０のＰＣ光学系２５を構成する。固定環３４は、外周面３４ａに、レンズ保持枠３３に形成された回動軸受４０に対応して一対の支持孔４３，４３が形成されている。支持孔４３，４３は、レンズ保持枠３３の回動軸受４０，４０と連続されるとともに、支持ピン３６が挿通される。これにより、固定環３４は、支持ピン３６を支軸としてレンズ保持枠３３を回動可能に支持する。
【００２７】
また、固定環３４は、外周面３４ａにレンズ保持枠３３に形成されたガイド軸受４１に対応して一対の傾倒支持溝４４が形成されている。傾倒支持溝４４は、長手方向をＰＣ光学系２５の光軸方向と平行とした長円形状をなし、ガイド軸受４１に取り付けられたガイド部材３７が挿通される。固定環３４は、ガイド部材３７が傾倒支持溝４４に挿通されることにより、レンズ保持枠３３を傾倒支持溝４４の長手方向に亘って傾倒可能に支持する。
【００２８】
さらに、固定環３４は、外周面３４ａの前面側に、後述する回転操作機構３２の第１の操作環５７とギア機構５９を介して連結されるギア部４５が形成されている。ギア部４５は、外周面３４ａの全周に亘って形成され、第１の操作環５７の回転操作に応じてあおり機構３１を回転させる。このギア部４５は、固定環３４の外周面３４ａの前面側にフランジ部が全周に亘って設けられるとともに、このフランジ部の側面に形成されている。
【００２９】
なお、固定環３４は、外周面３４ａの外側に嵌合する回転環３５の抜け止めを図るとともに、回転環３５の回動範囲を規制する規制ピン４６が立設されている。規制ピン４６は、固定環３４に回転環３５が嵌合された後、外周面３４ａの背面側に形成された軸孔に挿通される。
【００３０】
回転環３５は、両端が開放された中空円筒形状をなし、固定環３４のギア部４５が形成された前面側と反対側の背面側から嵌合される。回転環３５は、外周面３５ａに、ガイド部材３７が挿通する一対の傾倒ガイド溝５０，５０と、規制ピン４６が当接する切り欠き部５１とが形成されている。
【００３１】
各傾倒ガイド溝５０，５０は、外周面３５ａの周回方向に亘って前面側から背面側へ形成されることによりＰＣ光学系２５の光軸に対して傾斜する傾斜部５２が形成されている。傾倒ガイド溝５０，５０は、ガイド部材３７を傾倒支持溝４４に沿って光軸方向へ傾倒させることにより、レンズ保持枠３３に保持されたあおりレンズ３０の傾きを規制するものであり、固定環３４の外周面３４ａを回転されることにより、ガイド部材３７が傾斜部５２にガイドされ、固定環３４の前面側から背面側にかけて傾倒支持溝４４を移動する。したがって、回転環３５は、固定環３４に対する回転量に応じてレンズ保持枠３３に保持されたあおりレンズ３０の傾きを調整することができる。
【００３２】
一対の傾倒ガイド溝５０，５０は、何れの位置の幅方向の中心点と、何れの位置と相対向する位置における幅方向の中心点とを結ぶ直線が、ＰＣ光学系２５の光軸の一点を通過するように形成されている。上述したように、ガイド部材３７は、一対のガイドピン３７，３７の軸線が一致されると共に、この軸線があおりレンズ３０の光軸及び支持ピン３６，３６の軸線と直交している。したがって、かかるガイド部材３７，３７が傾倒ガイド溝５０にガイドされると、レンズ保持枠３３に保持されたあおりレンズ３０の光軸と、ＰＣ光学系２５の光軸とが、常時交わりながらあおりレンズ３０が傾倒され、あおりレンズ３０の光軸がＰＣ光学系２５の光軸との接点を失うことはない。
【００３３】
切り欠き部５１は、回転環３５の背面側の端面を周回方向に切り欠くことにより形成されている。切り欠き部５１は、周回方向の両端面５１ａ，５１ａに固定環３４の外周面３４ａに立設された規制ピン４６が当接することにより、回転環３５の固定環３４に対する回動範囲を規制する。
【００３４】
回転環３５は、切り欠き部５１における規制ピン４６の移動範囲と、傾倒ガイド溝５０におけるガイド部材３７のガイド範囲とが対応され、傾倒ガイド溝５０の一端にガイド部材３７が当接するとき、切り欠き部５１の一端面に規制ピン４６が当接し、傾倒ガイド溝５０の他端にガイド部材３７が当接するとき、切り欠き部５１の他端面に規制ピン４６が当接する。
【００３５】
回転環３５は、固定環３４にレンズ保持枠３３を組み付けるための開口部５３が形成されている。開口部５３は、回転環３５の外周部３５ａに、固定環３４の支持孔４３に対応して設けられ、支持孔４３よりも若干大径の円形状をなし、回転環３５が固定環３４の外周を回転することにより、固定環３４の外周部３４ａに形成された支持孔４３と、連続される。あおり機構３１は、固定環３４内にあおりレンズ３０を保持したレンズ保持枠３３を配置し、回転環３５を固定環３４に嵌合させた後、支持孔４３と開口部５３、及び支持孔４３とレンズ保持枠３３の回動軸受４０とを連続させて、支持ピン３６を開口部５３及び支持孔４３を介して回動軸受４０内に挿通させることにより、レンズ保持枠３３を固定環３４内に支持させる。
【００３６】
なお、開口部５３は、無くてもよく、この場合予め固定環３４内にレンズ保持枠３３を支持させる。支持ピン３６は、固定環３４の支持孔４３より外周面３４ａに突出しない高さを備えているため、固定環３４内にレンズ保持枠３３を回転自在に支持させた後、回転環３５を固定環３４の外周面３４ａに嵌合させることができる。
【００３７】
回転環３５を固定環３４に嵌合させた後、ガイド部材３７が回転環３５の傾斜ガイド溝５０及び固定環３４の傾倒支持溝４４を介してレンズ保持枠３３のガイド軸受４１に挿通される。また固定環３４には、回転環３５の切り欠き部５１より外方に臨まされた外周面３４ａの軸孔に規制ピン４６が挿通される。
【００３８】
このようなあおり機構３１は、回転環３５が、後述する回転操作機構３２の第２の操作環５８によって固定環３４の外周面３４ａを周回方向に回転操作される。これにより、回転環３５は、傾倒ガイド溝５０に挿通されたガイド部材３７を外周面３５ａの前面側と背面側との間に亘って傾倒させる。ガイド部材３７が傾倒ガイド溝５０にガイドされると、レンズ保持枠３３は、固定環３４の支持孔４３に挿通された支持ピン３６を回動支軸として、固定環３４の傾倒支持溝４４の長手方向に沿って傾倒され、あおりレンズ３０の光軸がＰＣ光学系２５を構成する他のレンズ群の光軸に対して所定角度だけあおられる。これにより、ＰＣ光学系２５の光軸が、カメラボディ２内に配設された撮像素子に対して傾斜され、あおり撮影が可能となる。そして、あおり機構３１は、回転環３５の固定環３４に対する回転量が制御されることにより、あおりレンズ３０のあおり角度を規制することができる。
【００３９】
例えば、図６ａ（ａ）及びａ（ｂ）に示すように、あおり機構３１は、傾斜ガイド溝５０の略中間位置にガイド部材３７が位置する場合には、あおりレンズ３０があおられない中立位置となる。中立位置では、あおりレンズ３０の光軸とＰＣ光学系２５の他のレンズ群の光軸とが一致され、また、ＰＣ光学系２５の光軸はカメラボディ２内に配設された撮像素子に対して直交する。かかる中立位置においては、固定環３４の回転位置にかかわらず、あおり機構３１は、あおりレンズ３０があおられていないため、通常撮影が可能となる。
【００４０】
回転環３５が図６中矢印Ａ方向に回転されると、図６ｂ（ａ）及びｂ（ｂ）に示すように、あおり機構３１は、ガイド部材３７が傾倒ガイド溝５０にガイドされることにより、傾倒支持溝４４を一方向へ傾倒され、レンズ保持枠３３が図６ｂ中矢印Ｕ方向へ傾けられる。これにより、あおり機構３１は、あおりレンズ３０の光軸がＰＣ光学系２５の他のレンズ群の光軸に対して上向きにあおられ、また、カメラボディ２内に配設された撮像素子に対しても傾斜され、あおり撮影が可能となる。
【００４１】
また、回転環３５が図６中矢印Ｂ方向へ回転されると、図６ｃ（ａ）及びｃ（ｂ）に示すように、あおり機構３１は、ガイド部材３７が図６ｃ中矢印Ｄ方向へ傾けられる。これにより、あおり機構３１は、あおりレンズ３０の光軸がＰＣ光学系２５の他のレンズ群の光軸に対して下向きにあおられ、また、カメラボディ２内に配設された撮像素子に対しても傾斜され、あおり撮影が可能となる。
【００４２】
なお、あおりレンズ３０のあおり角度は、回転環３５の回転量を調節することによりガイド部材３７の傾倒支持溝４４における傾斜角度を調節することにより可能である。また、最大あおり角度は、図６ａに示す中立位置に対して例えば最大±１５°に設定される。
【００４３】
また、あおり機構３１は、固定環３４が回転操作機構３２の第１の操作環５７によって回転されることにより、固定環３４に対する回転環３５の位置を保持した状態でＰＣ光学系２５の光軸を回転中心として回転される。これにより、あおり機構３１は、固定環３４の回転量に応じてあおりレンズ３０のあおり方向が決まる。このように、あおり機構３１は、あおりレンズ３０のあおり方向とあおり角度をそれぞれ設定することができるため、あおりレンズ３０のあらゆる角度に対してあおりレンズ３０をあおることができる。
【００４４】
さらに、あおり機構３１は、あおりレンズ３０を保持するレンズ保持枠３３が、あおりレンズ３０の光軸と直交する一方向に支持ピン３６が挿通されるとともに、この支持ピン３６が固定環３４の支持孔４３に回転可能に支持され、かつ、あおりレンズ３０の光軸及び支持ピン３６が挿通された一方向と直交する他方向にガイド部材３７が挿通されるとともに、このガイド部材が固定環３４に光軸方向に亘って形成された直線状の傾倒支持溝４４に挿通支持されていることから、固定環３４に対するあおりレンズ３０の位置が精度よく決まる。そして、後述するように、固定環３４は回転操作機構３２の固定筒５５に嵌合されることから、あおり機構３１は、あおりレンズ３０の光軸をＰＣ光学系２５の他のレンズ群の光軸と精度良く一致させることができ、芯出しを確実に行うことができる。
【００４５】
次いで、かかるあおり機構３１の固定環３４及び回転環３５をそれぞれ操作する回転操作機構３２について説明する。図４及び図７に示すように、回転操作機構３２は、ＰＣレンズ２０のレンズ鏡筒２１の一部をなすとともにあおり機構３１の固定環３４を回動させる固定筒５５と、固定筒５５及びカメラボディ２に着脱されるマウントリング６１が取り付けられる固定連結筒５６と、第１、第２の操作環５７，５８と、第１の操作環５７の回転操作に応じてあおり機構３１の固定環３４をＰＣ光学系２５の光軸を回転中心として回転させるギア機構５９と、第２の操作環５８の回転操作に応じてあおり機構３１の回転環３５を固定環３４と独立して回転させるとともに、第１の操作環５７の回転操作に応じて回転される回転環３５と第２の操作環５８との連結を切り離すクラッチ機構６０とを備える。
【００４６】
この回転操作機構３２は、固定筒５５、固定連結筒５６、第１、第２の操作環５７，５８及びクラッチ機構６０がそれぞれ円筒形状を有し、固定筒５５の外周面に固定連結筒５６及び第１の操作環５７が嵌合されるとともに、固定筒５５の内部にクラッチ機構６０及びあおり機構３１を支持している。固定筒５５は、背面に固定連結筒５６及びマウントリング６１が連結ネジ６２によって共締めされることにより一体化されている。固定連結筒５６は、外周面に第２の操作環５８が嵌合される。
【００４７】
そして、あおり機構３１を内蔵した回転操作機構３２は、ＰＣレンズ２０のレンズ鏡筒２１の一部を構成し、あるいはフォーカスレンズ群２２と固定レンズ群２３とを内蔵したレンズ鏡筒２１とカメラボディ２との間に着脱可能に設けられ、あおり撮影を行う場合に適宜装着される。
【００４８】
固定筒５５は、第１の操作環５７が回転自在に嵌合される外周面６５の前面側６５ａに、第１の操作環５７の回転をガイドするガイド溝６６と、ギア機構５９が配設されるギア固定部６７が形成されている。ガイド溝６６は、外周面６５の周回方向に亘って形成され、第１の操作環５７の内周面に周回方向に亘って突設されたガイド突条７６が係合する。ギア固定部６７は、前面側６５ａに設けられた略矩形状の開口部であり、ガイド溝６６の線上に開口されている。ギア固定部６７には、第１の操作環５７の内周面に設けられたギア列７７と咬合するギア機構５９が配設される。
【００４９】
図８に図７におけるｘ−ｘ’断面図を示す。ギア機構５９は、図８に示すように、ギア固定部６７内に嵌合するギアボックス７０と、ギアボックス７０内に回転自在に支持された第１、第２のギア７１，７２とを備える。第１のギア７１は、二段ギアからなり、固定筒５５の外周面６５上に臨まされ、前面側６５ａを回転する第１の操作環５７の内周面に形成されたギア列７７と咬合する大径ギア７１ａと、大径ギア７１ａと同軸に形成され第２のギア７２と咬合する小径ギア７１ｂとを有する。第２のギア７２は、ギアボックス７０より固定筒５５の内方へ臨まされ、固定筒５５内に支持されるあおり機構３１の固定環３４に形成されたギア部４５と咬合されている。
【００５０】
固定筒５５の外周面６５の前面側６５ａに嵌合される第１の操作環５７は、ギア機構５９を介してあおり機構３１の固定環３４と連結されることにより、固定環３４を回転操作するものであり、略円筒形状を有する。第１の操作環５７は、外周面５７ａに回転操作に供するローレット部７５が形成され、内周面５７ｂに固定筒５５のガイド溝６６に係合するガイド突条７６及びギア機構５９の第１のギア７１と咬合するギア列７７が形成されている。
【００５１】
第１の操作環５７は、固定筒５５の外周面６５に背面側から嵌入することにより、固定筒５５の外周面６５の前面側６５ａに形成された一対のフランジ間に回転自在に挟持されるとともにガイド突条７６がガイド溝６６に係合することにより、抜け止めが図られる。そして、第１の操作環５７は、固定筒５５の外周面６５を周回方向に回転されると、ギア列７６と咬合されたギア機構５９の第１のギア７１の大径ギア７１ａが回転され、大径ギア７１ａと同軸に形成された小径ギア７１ｂと咬合する第２のギア７２が回転されることにより、第２のギア７２とギア部４５とが咬合されているあおり機構３１の固定環３４が、第１の操作環５７の回転方向と同方向へ回転される。
【００５２】
ここで、図９に示すギア諸元例に示すように、ギア機構５９は、第１の操作環５７の回転量と固定環３４の回転量が略同一となるように、ギア減速比＝１に設計されている。したがって、第１の操作環５７を回転操作するユーザは、あおりレンズ３０の回転量を直感的に把握することができ、あおり方向を容易に設定することができる。
【００５３】
なお、第１の操作環５７は、ギア列７７と略同一の位置に形成されたガイド突条７６が固定筒５５の外周面６５に形成されたガイド溝６６にガイドされることにより、スムーズな回転操作が可能とされている。
【００５４】
固定筒５５の外周面６５は、背面側６５ｂに固定連結環５６が嵌合されるとともに、固定連結環５６の外周面５６ａに嵌合される第２の操作環５８に突設されたクラッチ連結ピン９３が挿通するスリット７８が周回方向に亘って形成されている。
【００５５】
固定筒５５は、前端面が背面側に凹んだ凹面部８０が形成され、この凹面部８０の略中央にあおり機構３１を外方に臨ませる円形の開口部８１が開口されている。また、固定筒５５は、開口部８１の周面から固定筒５５の背面方向に向かって連続して、円筒状の前面支持壁８２が形成されている。前面支持壁８２は、固定筒５５の内部に配設されたあおり機構３１の固定環３４を前面側から支持するものであり、固定環３４の内周面と略同径の円筒形状を備える。固定環３４は、前面側が前面支持壁８２と係合するとともに、背面側が後述するマウントリング６１に取り付けられた支持リング９０に係合されることにより、回転自在に固定筒５５内に支持される。
【００５６】
固定筒５５の外周面６５の背面側６５ｂに嵌合される固定連結環５６は、外周面５６ａに第２の操作環５８が嵌合されるとともに、この第２の操作環５８に突設されたクラッチ連結ピン９３が挿通するスリット８３が周回方向に亘って形成されている。スリット８３は、固定連結環５６が固定筒５５に嵌合することにより、固定筒５５の外周面６５に形成されたスリット７８と連続され、クラッチ連結ピン９３を固定筒５５の内部に配設されたクラッチ機構６０まで挿通させる。
【００５７】
この固定連結環５６は、背面側の端面に、カメラボディ２のレンズマウント５と着脱されるマウントリング６１が取り付けられる。マウントリング６１は、中央が円形に開口された円盤形状をなし、カメラボディ２のレンズマウント５と対向する一面側に、レンズマウント５と係脱するマウント部８４が形成され、他面側に固定連結環５６の背面に係合する係合凸部８５が形成されている。また、マウントリング６１は、固定連結環５６の背面に係合凸部８５が係合することにより固定連結環５６の背面に当接する主面部に、連結ピン６２が挿通する挿通孔８６が複数形成されている。また、固定連結環５６及び固定筒５５も、背面側端面にこの挿通孔８６と連続する挿通孔が穿設され、図７に示すように、各挿通孔が連続されると共に連結ネジ６２がマウントリング６１の挿通孔８６側から挿通されることにより、固定筒５５、固定連結環５６及びマウントリング６１が一体とされる。
【００５８】
なお、マウントリング６１には、あおり機構３１の固定環３４の背面側を支持する支持リング９０が取り付けられている。支持リング９０は、マウントリング６１の内周面に張り出し形成されたフランジ片８７に当接されるとともに、ネジ止めされることによりマウントリング６１と一体化されている。また、支持リング９０は、マウントリング６１の開口より前面側に延設された背面支持壁９１が突設されている。背面支持壁９１は、固定筒５５の内部に配設されたあおり機構３１の固定環３４を背面側から支持するものであり、固定環３４の内周面と略同径の円筒形状を備える。固定環３４は、背面側を背面支持壁９１と係合するとともに、前面側が上記固定筒５５に形成された前面支持壁８２に係合されることにより、回転自在に固定筒内に支持される。
【００５９】
固定連結環５６に嵌合される第２の操作環５８は、後述するクラッチ機構６０を介してあおり機構３１の回転環３５と連結されることにより、回転環３５を固定環３４から独立して操作可能とするものであり、略円筒形状を有する。第２の操作環５８は、外周面５８ａに回転操作に供するローレット部９２が形成され、内周面５８ｂにクラッチ機構６０に係合するクラッチ連結ピン９３が突設されている。
【００６０】
クラッチ連結ピン９３は、第２の操作環５８の内周面５８ｂに所定間隔毎に複数立設されている。各クラッチ連結ピン９３は、固定連結環５６及び固定筒５５に設けられたスリット８３，７８を挿通してクラッチ機構６０の作動環１０１に連結されている。これにより、第２の操作環５８は、ユーザに回転操作されると、クラッチ機構６０を介して係合されたあおり機構３１の回転環３５が回転される。
【００６１】
次いで、クラッチ機構６０について説明する。クラッチ機構６０は、第１の操作環５７の操作に応じて第２の操作環５８と独立して固定環３４及び回転環３５を一体に回転させるとともに、第２の操作環５８の回転操作に応じて回転環３５を回転させるものである。図１０に示すように、クラッチ機構６０は、第２の操作環５８と連結する作動環１０１と、作動環１０１が嵌合されるベース環１０２と、ベース環１０２に揺動自在に支持されると共に作動環１０１に係止されるクラッチレバー１０３と、回転環３５に一体に嵌合されるとともにクラッチレバー１０３と係脱されるクラッチリング１０４とを備え、固定筒５５とあおり機構３１との間に配設されている。
【００６２】
作動環１０１は、第２の操作環５８と連結され、第２の操作環５８とともに回転されることによりベース環１０２に支持されたクラッチレバー１０３を回動させるものである。この作動環１０１は、円筒形状をなし、ベース環１０２に揺動自在に嵌合されている。作動環１０１は、第２の操作環５８に突接されたクラッチ連結ピン９３が挿通するピン挿通孔１１０と、ベース環１０２と連結する連結孔１１１と、クラッチレバー１０３の先端を係止する係止凹部１１２とを有する。
【００６３】
ピン挿通孔１１０は、クラッチ連結ピン９３に対応して、作動環１０１の周面に、所定間隔毎に複数形成されている。作動環１０１は、ピン層通孔１１０に、固定筒５５及び固定連結環５６に形成されたスリット７８，８３を介してクラッチ連結ピン９３が挿通されることにより第２の操作環５８と一体とされ、第２の操作環５８とともに回転可能となる。
【００６４】
連結孔１１１は、作動環１０１の周面に、所定間隔毎に複数形成され、作動環１０１がベース環１０２に嵌合することにより、ベース環１０２の周面に形成されたビス孔１１５と連続される。作動環１０１は、この状態でビス１１３が連結孔１１１及びビス孔１１５を挿通しベース環１０２の内周面側に配されたナット１１４に取り付けられることにより、ベース環１０２と連結される。また、連結孔１１１は周方向を長手方向とする楕円形状を有する。したがって、作動環１０１は、周方向に向かって揺動可能にベース環１０２に嵌合される。
【００６５】
クラッチレバー１０３が係止される係止凹部１１２は、作動環１０１の前面側に形成された前側縁１１６の一部が矩形状に切り欠かれることにより形成されている。係止凹部１１２は、ベース環１０２に支持されたクラッチレバー１０３の先端を係止することにより、作動環１０１の回転に応じてクラッチレバー１０３を揺動させる。この係止凹部１１２は、クラッチレバー１０３の支持位置に応じて所定間隔毎に複数形成されている。
【００６６】
作動環１０１が嵌合するベース環１０２は、クラッチレバー１０３を支持するとともに、作動環１０１の回転に応じてクラッチレバー１０３をクラッチリング１０４に係合させるものである。ベース環１０２は、作動環１０１が嵌合する小径部１０２ａと、クラッチレバー１０３を支持する大径部１０２ｂとを有する。小径部１０２ａには、作動環１０１の周面に形成された連結孔１１１に対応してビス孔１１５が周方向に亘って複数形成されている。ベース環１０２は、ビス孔１１５を介して作動環１０１と接続されることにより、第２の操作環５８が回転操作されると、作動環１０１とともに回転される。大径部１０２ｂには、クラッチレバー１０３を支持する支持金具１１６がネジ止めされるネジ孔１１７が形成されている。
【００６７】
クラッチレバー１０３は、略矩形板状をなし、長手方向の一端に形成されクラッチリング１０４と接離する係合部１１８と、長手方向の他端に係止凹部１１２に係止される係止部１１９とを有する。係合部１１８は、幅方向に離間して一対の突部１１８ａ，１１８ａと、クラッチレバー１０３をベース環１０２の大径部１０２ｂに回動自在に係合させる係合孔１１８ｂとを有する。突部１１８ａは、ベース環１０２の背面側に突出することによりクラッチリング１０４と対向され、クラッチレバー１０３の揺動に応じてクラッチリング１０４と摺接可能とされている。係合孔１１８ｂにはリベット１２０が挿通され、クラッチレバー１０３が支持金具１１６に回動自在に結合される。係止部１１９は、上述した作動環１０１の係止凹部１１２に係止されることにより、作動環１０１の回転操作に応じて、クラッチレバー１０３をリベット１２０を回転支軸として回転させる。クラッチレバー１０３は、係止部１１９に回転されることにより、突部１１８ａが作動環１０１の回転方向と反対方向に揺動されてクラッチリング１０４の回動領域上に臨まされ、突部１１８ａをクラッチリング１０４に押しつけて一体に回動させる。
【００６８】
支持金具１１６は、クラッチレバー１０３がリベット１２０により結合される結合板部１１６ａと、結合板部１１６ａを挟んだ両側に形成されベース環１０２の大径部１０２ｂにネジ止めされる係止板部１１６ｂとを有する。支持金具１１６は、結合板部１１６ａにリベット１２０が挿通する挿通孔が形成され、係止板部１１６ｂにはベース環１０２の大径部１０２ｂに形成されたネジ孔１１７と連続される係止孔１２１が形成されている。
【００６９】
かかる支持金具１１６は、結合板部１１６ａにクラッチレバー１０３が結合されると、係止板部１１６ｂの係止孔１２１がベース環１０２の大径部１０２ｂと連続される。このときクラッチレバー１０３の係止部１１９がベース環１０２の小径部１０２ａに嵌合された作動環１０１の係止凹部１１２に係止される。この状態で、支持金具１１６は、係止孔１２１が大径部１０２ｂのネジ孔１１７を挿通されたネジ１２３に螺合されることにより、クラッチレバー１０３をベース環１０２に係止させる。
【００７０】
クラッチレバー１０３の係合部１１８に形成された突部１１８ａと係合するクラッチリング１０４は、ベース環１０２の大径部１０２ｂ内周面に形成されたガイド凹部に支持されることにより、ベース環１０２の周方向に回転自在に支持されている。クラッチリング１０４は、ベース環１０２内に支持されることにより、大径部１０２ｂの内周面に支持されたクラッチレバー１０３の突部１１８ａと係脱可能とされている。また、クラッチリング１０４は、内周面に切り欠き部１２５が形成され、あおり機構３１の回転環３５と接続されている。
【００７１】
このようなクラッチ機構６０は、第２の操作環５８がユーザに一方に回転操作されると、作動環１０１がベース環１０２に対して第２の操作環５８の回転方向と同方向に回転されて、クラッチレバー１０３の係止部１１９が一方に揺動付勢されるとともに係合部１１８の突部１１８ａがベース環１０２の回転方向と反対方向に揺動付勢されクラッチリング１０４に押しつけられる。また、作動環１０１とベース環１０２とを挿通するビス１１３が連結孔１１１の長手方向の一端に当接して、作動環１０１とベース環１０２とが第２の操作環５８の回転方向と同方向に一体に回転される。このようにクラッチ機構６０は、クラッチレバー１０３とクラッチリング１０４とが一体とされることにより、第２の操作環５８とあおり機構３１の回転環３５とを接続させ、第２の操作環５８が一方に回転されると、回転環３５をクラッチリング１０４とともに第２の操作環５８と同方向に回転させる。
【００７２】
また、クラッチ機構６０は、第１の操作環５７の回転操作に応じてあおり機構３１の固定環３４が回転されると、固定環３４に支持されている回転環３５及び回転環３５と接続されたクラッチリング１０４が第１の操作環５７と同方向に回転される。このとき、クラッチレバー１０３は、第２の操作環５８が回転操作されていないことから作動環１０１による付勢力は付されておらず、リベット１２０を回転支軸として揺動可能であり、突部１１８ａがクラッチリング１０４から進退自在とされている。したがって、クラッチ機構６０は、クラッチリング１０４の回転によっても、突部１１８ａと一体にとされることなく、回転環３５と第２の操作環５８とを接続させず、第１の操作環５７を第２の操作環５８と切り離して、あおり機構３１全体を回転させる。
【００７３】
このようなクラッチ機構６０を備えた回転操作機構３２によれば、あおり機構３１は、第２の操作環５８が回転操作されることにより、回転環３５のみが独立して回転操作され、あおりレンズ３０の光軸をＰＣ光学系２５の他のレンズ群の光軸、あるいはカメラボディ２内に配設された撮像素子に対して傾けてあおり量を調整することができる。また、あおり機構３１は、第１の操作環５７が回転操作されることにより、固定環３４及び回転環３５が一体に回転操作され、あおりレンズ３０のあおり方向を全方向に設定することができる。このとき、クラッチ機構６０は、第２の操作環５８と回転環３５とを切り離しているため、第１の操作環５７の回転によって第２の操作環５８が回転されることがない。したがって、第１の操作環５７によってあおり方向の制御を行い、第２の操作環５８によってあおり量の制御を行うことができる。
【００７４】
本発明に係るあおり機構３１及びＰＣレンズ２０では、あおりレンズ３０を、その光軸がＰＣ光学系２５の他のレンズ群の光軸と一致され、カメラボディ２内の撮像素子の中心と直交することによりあおられていない中立位置に保持する機構を形成してもよい。なお、以下の説明においては、上述したあおり機構３１及びＰＣレンズ２０と同一の構成については、同一の符号を付してその詳細を省略する。
【００７５】
上述したように、あおり機構３１は、あおり量を回転環３５の回転によって制御している。すなわち、第２の操作環５８がユーザに回転されることによりクラッチ機構６０を介して回転環３５が回転され、レンズ保持枠３３のガイド部材３７が傾斜ガイド溝５０にガイドされることで、固定環３４の傾倒支持溝４４に沿って傾倒され、あおりレンズ３０があおられる。
【００７６】
図１１（ａ）及び図１１（ｂ）に示すように、中立位置を保持するあおり機構３１では、固定環３４に嵌合する回転環１３０の傾斜ガイド溝１３１に、レンズ保持枠３３のガイド部材３７を傾倒支持溝４４に沿って傾倒させる傾斜部１３２と、レンズ保持枠３３のガイド部材３７をＰＣ光学系２５の光軸と直交させてあおりレンズ３０を中立位置に保持する水平部１３３とが形成されている。
【００７７】
傾斜ガイド溝１３１は、上述した回転環３５の傾斜ガイド溝５０と同様に、回転環１３０の外周面１３０ａの周回方向に亘って前面側から背面側へかけて形成されている。また、傾斜ガイド溝１３１は、外周面１３０ａに一対形成され、それぞれレンズ保持枠３３に挿通されたガイド部材３７が挿通されている。
【００７８】
各傾斜ガイド溝１３１は、ガイド部材３７を光軸方向に亘って傾倒させる傾斜部１３２と、傾斜部１３２の間に設けられた水平部１３３からなる。傾斜部１３２は、回転環１３０の前面側から背面側にかけて光軸方向に対して傾斜することにより、ガイド部材３７を傾倒支持溝４４に沿って光軸方向に移動させる。したがって、回転環１３０が回転され、ガイド部材３７が傾斜部１３２にガイドされると、レンズ保持枠３３が傾倒され、あおりレンズ３０があおられる。
【００７９】
水平部１３３は、ＰＣ光学系２５の他のレンズ群の光軸方向、あるいはカメラボディ２内の撮像素子面に対する直交方向に対して直交する方向に形成され、ガイド部材３７をガイドすることにより、レンズ保持枠３３に保持されたあおりレンズ３０の光軸を、ＰＣ光学系２５の光軸と一致させ、あるいはカメラボディ２内の撮像素子面に対して直交させる。すなわち、あおりレンズ３０は、レンズ保持枠３３のガイド部材３７が水平部１３３にガイドされることにより中立位置に保持される。
【００８０】
水平部１３３は、傾斜部１３２、１３２間の略中間に形成されており、ガイド部材３７が水平部１３２を介して一方の傾斜部１３２にガイドされることによりレンズ保持枠３３が一方に傾き、ガイド部材３７が水平部１３２を介して他方の傾斜部１３２にガイドされることによりレンズ保持枠３３が他方に傾く。
【００８１】
かかる水平部１３３が形成された回転環１３０を用いることにより、あおり機構３１は、ガイド部材３７が水平部１３３にガイドされている領域を設けることができ、第２の操作環５８の回転によって連続的に傾いていくあおりレンズ３０を容易に中立位置に設定することができる。
【００８２】
なお、回転環１３０に形成された一対の傾斜ガイド溝１３１，１３１は、上述した回転環３５の傾斜ガイド溝５０，５０と同様に、何れの位置の幅方向の中心点と、何れの位置と相対向する位置における幅方向の中心点とを結ぶ直線が、ＰＣ光学系２５の光軸の一点を通過するように形成され、レンズ保持枠３３に保持されたあおりレンズ３０の光軸と、ＰＣ光学系２５の光軸とが、常時交わりながらあおりレンズ３０が傾倒され、あおりレンズ３０の光軸がＰＣ光学系２５の光軸との接点を失うことはない。また、回転環１３０においても、固定環３４からの抜け止めを図る切り欠き部５１が形成されている。
【００８３】
また、あおり機構３１は、あおりレンズ３０が中立位置に設定されたときにクリック感を付与するとともに、あおりレンズ３０があおり方向の基準位置に設定されたときにクリック感を付与するクリック機構１４０を設けてもよい。ここで、あおり方向の基準位置とは、レンズ保持枠３３のガイド部材３７が所定方向に向けられた固定環３４の傾倒支持溝４４，４４に支持され、レンズ保持枠３３が傾倒支持溝４４に沿って傾倒されることにより、あおりレンズ３０が当該所定方向に亘ってあおられる位置をいい、例えば、基準位置は、固定環３４の支持孔４３，４３が水平方向に位置され、傾倒支持溝４４，４４が垂直方向に位置されることにより、回転環３５の回転によってレンズ保持枠３３に保持されたあおりレンズ３０が垂直方向に向かってあおられる位置として設定される。すなわち、この基準位置においては、カメラ１の撮影レンズ３が水平方向に向けられるとともにシャッタボタンがほぼ垂直方向に向けられる標準的な撮影姿勢において把持されると、第２の操作環５８が回転されることにより、あおりレンズ３０は、垂直上向きあるいは垂直下向きにあおられる。ユーザは、この基準位置からの第１の操作環５７の回転操作量に応じて、あおりレンズ３０のあおり方向を決めることができる。なお、あおり方向の基準位置は、あおりレンズ３０が垂直方向に向かってあおられる位置として設定する以外にもあおりレンズ３０が水平方向に向かってあおられる位置など、適宜設定することができる。
【００８４】
かかるクリック機構１４０は、図１２及び図１３に示すように、あおりレンズ３０の中立位置においてあおり機構３１の回転環３５に係合する第１のクリックワッシャー１４１と、あおり機構３１があおり方向の基準位置に回転されると固定環３４に係合する第２のクリックワッシャー１４２とを備える。各クリックワッシャー１４１，１４２は、例えば金属板金からなる円形のリング状をなし、第１のクリックワッシャー１４１にはクリック凸部１４３と嵌合用凹部１４４が形成され、第２のクリックワッシャー１４２には、クリック凸部１４５と嵌合用凹部１４６が形成されている。
【００８５】
第１のクリックワッシャー１４１は、あおり機構３１の固定環３４に形成されたフランジ部１４７に嵌合されるとともに、フランジ部１４７と回転環３５の前端面とに挟持される。第１のクリックワッシャー１４１は、内周面に矩形状の嵌合用凹部１４４が形成され、この嵌合用凹部１４４が、フランジ部１４７に突設された嵌合用凸部１４８に嵌合することにより、固定環３４に固定される。このとき、第１のクリックワッシャー１４１は、クリック凸部１４３が回転環３５の前端面側に突出され、フランジ部１４７に密着される。固定環３４は、第１のクリックワッシャー１４１がフランジ部１４７に嵌合された後、回転環３５が嵌合される。
【００８６】
第２のクリックワッシャー１４２は、上述したマウントリング６１に取り付けられた支持リング９０に嵌合されるとともに、支持リング９０と固定環３４の後端面とに挟持される。第２のクリックワッシャー１４２は、内周面に矩形状の嵌合用凹部１４６が形成され、この嵌合用凹部１４６が、上記フランジ部１４７の嵌合用凸部１４８と同様に支持リング９０に突設された嵌合用凸部に嵌合することにより、支持リング９０に固定される。このとき、第２のクリックワッシャー１４２は、クリック凸部１４５が固定環３４の後端面側に突出され、支持リング９０に密着される。支持リング９０は、第２のクリックワッシャー１４２が嵌合された後、背面支持壁９１が固定環３４の背面側に係合することにより、固定環３４を固定筒５５内に支持すると共に、第２のクリックワッシャー１４２を固定環３４の後端面との間で挟持する。
【００８７】
回転環３５は、前端面に第１のクリックワッシャー１４１のクリック凸部１４３が係合するクリック凹部１４９が形成されている。クリック凹部１４９は、回転環３５がレンズ保持枠３３のガイド部材３７を傾斜ガイド溝５０の略中間でガイドし、あおりレンズ３０が中立位置に保持される位置に回転されたときに、クリック凸部１４３と係合される。
【００８８】
また、固定環３４は、後端面に第２のクリックワッシャー１４２のクリック凸部１４５が係合するクリック凹部１５０が形成されている。クリック凹部１５０は、固定環３４が基準位置まで回転されたときに、クリック凸部１４５と係合される。
【００８９】
図１４（ａ）〜（ｄ）に中立位置及び基準位置に設定されたあおり機構３１を示す。かかるクリック機構１４０は、第２の操作環５８が回転操作されることにより、あおりレンズ３０が中立位置にくるまで回転環３５が回転されると、図１４（ｂ）に示すように、前端面に形成されたクリック凹部１４９に、第１のクリックワッシャー１４１のクリック凸部１４３が係合し、回転環３５を保持すると共に、第２の操作環５８を回転操作するユーザにクリック感を付与する。したがって、第２の操作環５８の回転によって連続的に傾いていくあおりレンズ３０を容易に中立位置に設定することができる。
【００９０】
また、クリック機構１４０は、第１の操作環５７が回転操作されることにより、固定環３４が基準位置まで回転されると、図１４（ｄ）に示すように、後端面に形成されたクリック凹部１５０に、第２のクリックワッシャー１４２のクリック凸部１４５が係合し、固定環３４を保持すると共に、第１の操作環５７を回転操作するユーザにクリック感を付与する。したがって、第１の操作環５７の回転によって連続的に回転されていくあおり機構３１を容易にあおり方向の基準位置に設定することができる。
【００９１】
なお、クリック機構１４０は、あおり機構３１のあおり方向の基準位置は、固定環３４の後端面に形成されたクリック凹部１５０と、第２のクリックワッシャー１４２に形成されるクリック凸部１４５との相対位置を変更することにより、任意の位置に設定することができる。
【００９２】
本発明に係るあおり機構３１及びＰＣレンズ２０では、固定環３４と第１の操作環５７とをギア機構５９を介して連結する他、第１の操作環５７の内周面５７ｂに突設した固定連結ピンを介して直接連結してもよい。この場合、第１の操作環５７が嵌合する固定筒５５の外周面６５には、固定連結ピンが挿通する挿通孔が第１の操作環５７の周回方向に亘って開口される。固定連結ピンは、固定筒５５の挿通孔を介して固定環３４の前端部に取り付けられ、固定環３４と一体とされる。かかる固定連結ピンは第１の操作環５７の内周面５７ｂに所定間隔毎に複数立設され、固定環３４と複数箇所において連結される。
【００９３】
これにより、あおり機構３１は、第１の操作環５７が固定筒５５を回転操作されると、固定環３４も第１の操作環５７の回転方向と同一方向に回転され、また第１の操作環５７の回転量に応じた回転量で回転される。したがって、ユーザは第１の操作環５７を回転操作することにより、あおりレンズ３０の回転量を直感的に把握することができ、あおり方向を容易に設定することができる。かかるあおり機構３１及びＰＣレンズ２０は、固定連結ピンを立設するのみで固定環３４を回転させることができるため、ギア機構を用いることなく、また第１の操作環５７の内周面５７ｂにギア列７７を形成する必要もないことから、部品点数の削減及び、製造工程の簡略化を図ることができる。
【図面の簡単な説明】
【００９４】
【図１ａ】カメラを前面側から示す外観斜視図である。
【図１ｂ】カメラを背面側から示す外観斜視図である。
【図２】カメラボディに対して撮影レンズを装着する状態を示す斜視図である。
【図３】ＰＣレンズ構成を示す概略図である。
【図４】レンズ鏡筒に組み込まれたあおりレンズ群を示す分解斜視図である。
【図５】あおり機構を示す分解斜視図である。
【図６ａ】レンズがあおられていない中立位置におけるあおり機構を示す図であり、（ａ）は斜視図、（ｂ）は断面図である。
【図６ｂ】レンズを上方にあおった状態におけるあおり機構を示す図であり、（ａ）は斜視図、（ｂ）は断面図である。
【図６ｃ】レンズを下方にあおった状態におけるあおり機構を示す図であり、（ａ）は斜視図、（ｂ）は断面図である。
【図７】あおり機構及び回転操作機構を示す断面図である。
【図８】図７におけるｘ−ｘ’断面図である。
【図９】固定環、第１の操作環及びギア機構の各ギアの諸元例を示す表である。
【図１０】クラッチ機構を示す分解斜視図である。
【図１１】傾斜部及び水平部を備えた傾斜ガイド溝が形成された回転環を示し、（ａ）は側面図、（ｂ）は斜視図である。
【図１２】クリック機構を備えたあおり機構を前面側から示す分解斜視図である。
【図１３】クリック機構を備えたあおり機構を背面側から示す分解斜視図である。
【図１４】中立位置及び基準位置に設定されたあおり機構を示す側面図である。
【符号の説明】
【００９５】
１  カメラ、２  カメラボディ、３  撮影レンズ、５  レンズマウント、２０  ＰＣレンズ、２１  レンズ鏡筒、２４  あおりレンズ群、３０  あおりレンズ、３１  あおり機構、３２  回転操作機構、３３  レンズ保持枠、３４  固定環、３５  回転環、３６  支持ピン、３７  ガイド部材、４０  回動軸受、４１  ガイド軸受、４２  支持孔、４４  傾倒支持溝、４５  ギア部、４６  規制ピン、５０  傾倒ガイド溝、５２  傾斜部、５３  開口部、５５  固定筒、５６  固定連結環、５７  第１の操作環、５８  第２の操作環、５９  ギア機構、６０  クラッチ機構、６１  マウントリング、６６  ガイド溝、７０  ギアボックス、７１  第１のギア、７２  第２のギア、９０  支持リング、１０１  作動環、１０２  ベース環、１０３  クラッチレバー、１０４  クラッチリング、１１６  支持金具、１３０  回転環、１３１  傾斜ガイド溝、１３２  傾斜部、１３３  水平部、１４０  クリック機構、１４１  第１のクリックワッシャー、１４２  第２のクリックワッシャー
【図１ａ】
0004462357.tif 000002
【図１ｂ】
0004462357.tif 000003
【図２】
0004462357.tif 000004
【図３】
0004462357.tif 000005
【図４】
0004462357.tif 000006
【図５】
0004462357.tif 000007
【図６ａ】
0004462357.tif 000008
【図６ｂ】
0004462357.tif 000009
【図６ｃ】
0004462357.tif 000010
【図７】
0004462357.tif 000011
【図８】
0004462357.tif 000012
【図９】
0004462357.tif 000013
【図１０】
0004462357.tif 000014
【図１１】
0004462357.tif 000015
【図１２】
0004462357.tif 000016
【図１３】
0004462357.tif 000017
【図１４】
0004462357.tif 000018